【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
連続する多相シンボルを送信するための３送信機システムであって、
前記連続する多相シンボルに対応する指令を与えるためにデータを符号化するように構成されたエンコーダと、
前記連続する多相シンボルのうちの現在の多相シンボルに関して、複数の信号レベルのうちの１つに前記指令のうちの現在の指令に応答して、それの出力信号を駆動するように、各々構成された複数の３つの送信機と、および
前記３つの送信機のうちの中間レベル送信機が、前記現在の多相シンボルに関して、それの出力信号を高レベルから中間レベルに遷移するように前記エンコーダによって指令され、前記３つの送信機のうちの低レベル送信機が、それの出力信号を前記中間レベルから低レベルに遷移するように前記エンコーダによって指令されるときを検出することと、および前記中間レベル送信機に、代わりに、前記現在の多相シンボルの初期部分の間にそれの出力信号を低減された中間レベルに遷移し、および次いで、前記現在の多相シンボルの残りの部分に関して、それの出力信号を前記中間レベルに遷移することを強制することと、および前記低レベル送信機に、代わりに、前記初期部分の間にそれの出力信号を増加された低レベルに遷移し、および次いで、前記残りの部分の間にそれの出力信号を前記低レベルに遷移することを強制することと
を行うように構成された論理回路と、ここにおいて、前記高レベルは前記中間レベルよりも大きく、前記中間レベルは前記低減された中間レベルよりも大きく、前記低減された中間レベルは増加された低レベルよりも大きく、および前記増加された低レベルは前記低レベルよりも大きい、
を備える、３送信機システム。
【請求項２】
各送信機に関する前記出力信号は電圧出力信号であり、およびここにおいて、前記高レベル、前記中間レベル、前記低減された中間レベル、前記増加された低レベル、および前記低レベルはすべて電圧レベルである、請求項１に記載の３送信機システム。
【請求項３】
各送信機に関する前記出力信号は電流出力信号であり、およびここにおいて、前記高レベル、前記中間レベル、前記低減された中間レベル、前記増加された低レベル、および前記低レベルはすべて電流レベルである、請求項１に記載の３送信機システム。
【請求項４】
前記論理回路は、前記３つの送信機のうちの高レベル送信機が、前記現在の多相シンボルに関して、それの出力信号を前記中間レベル電圧から前記高レベル電圧に遷移するように前記エンコーダによって指令され、前記３つの送信機のうちの低レベル〜中間レベル送信機が、それの出力信号を前記低レベル電圧から前記中間レベル電圧に遷移するように指令されるときを検出することと、および前記高レベル送信機に、代わりに、前記現在の多相シンボルの前記初期部分の間にそれの出力信号を低減された高レベル電圧に遷移することを強制することと、および前記低レベル〜中間レベル送信機に、代わりに、前記初期部分の間にそれの出力信号を増加された中間レベル電圧に遷移することを強制することと  を行うようにさらに構成され、ここにおいて、前記高レベル電圧は前記低減された高レベル電圧よりも大きく、前記低減された高レベル電圧は前記増加された中間レベル電圧よりも大きく、および前記増加された中間レベル電圧は前記中間レベル電圧よりも大きい、請求項２に記載の３送信機システム。
【請求項５】
前記論理回路は、前記３つの送信機のうちの第１の送信機が、前記現在の多相シンボルに関して、それの出力信号を前記中間レベル電圧から前記低レベル電圧に遷移するように前記エンコーダによって指令され、前記３つの送信機のうちの第２の送信機は、それの出力信号を前記低レベル電圧から前記中間レベル電圧に遷移するように前記エンコーダによって指令されるときを検出することと、および前記第１の送信機に、代わりに、前記初期部分の間にそれの出力信号を前記増加された中間レベル電圧に遷移することを強制することと、および前記第２の送信機に、代わりに、前記初期部分の間にそれの出力信号を低減された低レベル電圧に遷移することを強制することと
を行うようにさらに構成され、ここにおいて、前記低減された低レベル電圧は前記低レベル電圧よりも小さい、請求項４に記載の３送信機システム。
【請求項６】
前記論理回路は、前記３つの送信機のうちの持続された高レベル送信機が、前記現在の多相シンボルに関して、それの出力信号を前記高レベル電圧に維持するように前記エンコーダによって指令されるときを検出することと、および前記持続された高レベル送信機に、代わりに、前記現在の多相シンボルの間にそれの出力信号を前記低減された高レベル電圧に遷移することを強制することとを行うようにさらに構成された、請求項４に記載の３送信機システム。
【請求項７】
前記論理回路は、前記３つの送信機のうちの持続された低レベル送信機が、前記現在の多相シンボルに関して、それの出力信号を前記低レベル電圧に維持するように前記エンコーダによって指令されるときを検出することと、および前記持続された低レベル送信機に、代わりに、前記現在の多相シンボルの間にそれの出力信号を前記増加された低レベル電圧に遷移することを強制することとを行うようにさらに構成された、請求項４に記載の３送信機システム。
【請求項８】
前記論理回路は、前記３つの送信機のうちの第１の送信機が、前記現在の多相シンボルに関して、それの出力信号を前記高レベル電圧から前記中間レベル電圧に遷移するように前記エンコーダによって指令され、前記３つの送信機のうちの第２の送信機が、それの出力信号を前記中間レベル電圧から前記高レベル電圧に遷移するように前記エンコーダによって指令されるときを検出することと、および前記第１の送信機に、代わりに、前記多相シンボルの前記初期部分の間にそれの出力信号を増加された高レベル電圧に遷移することを強制することと、および前記第２の送信機に、代わりに、前記初期部分の間にそれの出力信号を前記低減された中間レベル電圧に遷移することを強制することと
を行うようにさらに構成され、ここにおいて、前記増加された高レベル電圧は前記高レベル電圧よりも大きい、請求項４に記載の３送信機システム。
【請求項９】
前記多相シンボルのうちの先行する多相シンボルの間に前記３つの送信機の以前の状態を記憶するためのメモリをさらに備え、ここにおいて、前記論理回路は、前記中間レベル送信機のおよび前記低レベル送信機の前記検出をアシストするために前記メモリにアクセスするようにさらに構成された、請求項２に記載の３送信機システム。
【請求項１０】
各送信機は、プルアップ電源ノードとプルアップ抵抗器との間に直列にプルアップトランジスタを含み、およびここにおいて、前記プルアップ抵抗器は、前記送信機の出力信号を供給するための出力ノードに接続され、およびここにおいて、前記エンコーダは、前記送信機の出力信号を前記高レベル電圧に遷移するために前記プルアップトランジスタをオンに駆動するように構成された、請求項８に記載の３送信機システム。
【請求項１１】
各送信機は、前記プルアップ電源ノードと拡張プルアップ抵抗器との間に直列に拡張プルアップトランジスタをさらに含み、およびここにおいて、前記拡張プルアップ抵抗器は前記出力ノードに接続され、およびここにおいて、前記論理回路は、前記送信機の出力信号を前記増加された高レベル電圧に遷移するために前記拡張プルアップトランジスタを駆動するようにさらに構成された、請求項１０に記載の３送信機システム。
【請求項１２】
各送信機は、前記出力ノードとプルダウン抵抗器との間に直列にプルダウントランジスタをさらに含み、およびここにおいて、前記プルダウン抵抗器は接地に接続し、およびここにおいて、前記エンコーダは、前記送信機の出力信号を前記低レベル電圧に遷移するために前記プルダウントランジスタをオンに駆動するようにさらに構成された、請求項１０に記載の３送信機システム。
【請求項１３】
各送信機は、前記出力ノードと拡張プルダウン抵抗器との間に直列に拡張プルダウントランジスタをさらに含み、およびここにおいて、前記拡張プルダウン抵抗器は接地に接続し、およびここにおいて、前記論理回路は、前記送信機の出力信号を前記低減された低レベル電圧に遷移するために前記拡張プルダウントランジスタを駆動するようにさらに構成された、請求項１２に記載の３送信機システム。
【請求項１４】
３つの送信機から連続する多相シンボルを送信する方法であって、
入力データ信号を、前記連続する多相シンボルのうちの現在の多相シンボルに対応する現在の指令に符号化することと、
前記現在の指令が、前記３つの送信機のうちの中間レベル送信機に、それの出力信号を高レベルから中間レベルに遷移するように指令し、および前記３つの送信機のうちの低レベル送信機に、それの出力信号を前記中間レベルから低レベルに遷移するように指令するときを検出するために、前記連続する多相シンボルのうちの先行する多相シンボルの間の前記３つの送信機の各々からの出力信号に関する以前の状態と前記現在の指令を比較することと、
前記中間レベル送信機と前記低レベル送信機との検出に応答して、前記中間レベル送信機に、代わりに、前記連続する多相シンボルのうちの現在の多相シンボルの初期部分の間にそれの出力信号を低減された中間レベルに遷移し、および次いで、前記現在の多相シンボルの残りの部分の間にそれの出力信号を前記中間レベルに遷移することを強制し、前記低レベル送信機に、代わりに、前記現在の多相シンボルの前記初期部分の間にそれの出力信号を増加された低レベルに遷移し、および次いで、前記現在の多相シンボルの前記残りの部分の間にそれの出力信号を前記低レベルに遷移することを強制することと、ここにおいて、前記高レベルは前記中間レベルよりも大きく、前記中間レベルは前記低減された中間レベルよりも大きく、前記低減された中間レベルは前記増加された低レベルよりも大きく、および前記増加された低レベルは前記低レベルよりも大きい、
を備える、方法。
【請求項１５】
前記高レベル、前記中間レベル、前記低減された中間レベル、前記増加された低レベル、および前記低レベルはすべて電圧レベルであるか、または、前記高レベル、前記中間レベル、前記低減された中間レベル、前記増加された低レベル、および前記低レベルはすべて電流レベルである、請求項１４に記載の方法。